(57)【要約】  紙製品の端部の撓み、及び劣化を抑制する技術を提供する。本発明は、紙製品の端部構造であって、前記紙製品の端部と、前記端部に連なり、当該端部側に折り曲げられ、当該端部に接着される折り曲げ部と、前記端部と前記折り曲げ部との境界に設けられ、前記折り曲げ部が折り曲げられる直線状の折れ線と、前記折れ線の近傍、かつ、前記端部又は前記折り曲げ部に設けられ、前記折れ線からの距離が変化する罫線であって、前記折り曲げ部が折り曲げられた際に、前記端部又は前記折り曲げ部が折れ曲がる罫線と、を備える。
2015170395.tif 000002
【特許請求の範囲】
【請求項１】
紙製品の端部構造であって、
前記紙製品の端部と、
前記端部に連なり、当該端部側に折り曲げられ、当該端部に接着される折り曲げ部と、
前記端部と前記折り曲げ部との境界に設けられ、前記折り曲げ部が折り曲げられる直線状の折れ線と、
前記折れ線の近傍、かつ、前記端部又は前記折り曲げ部に設けられ、前記折れ線からの距離が変化する罫線であって、前記折り曲げ部が折り曲げられた際に、前記端部又は前記折り曲げ部が折れ曲がる罫線と、を備える紙製品の端部構造。
【請求項２】
前記罫線は、前記折れ線からの距離が徐々に長くなり、再び短くなるＶ字状である、請求項１に記載の紙製品の端部構造。
【請求項３】
前記罫線は、複数の前記Ｖ字を有する、請求項２に記載の紙製品の端部構造。
【請求項４】
前記罫線は、前記直線状の折れ線の両端部から延び、当該折れ線と所定の角度を成す、請求項１から３の何れか１項に記載の紙製品の端部構造。
【請求項５】
前記所定の角度は、０．１〜５．０度である、請求項４に記載の紙製品の端部構造。
【請求項６】
前記所定の角度は、０．２〜２．０度である、請求項４に記載の紙製品の端部構造。
【請求項７】
前記所定の角度は、０．５〜１．０度である、請求項４に記載の紙製品の端部構造。
【請求項８】
前記罫線は、前記端部に設けた場合と、前記折り曲げ部に設けた場合で、当該紙製品の端部の内部に作用する引張力が異なる、請求項１から７の何れか１項に記載の紙製品の端部構造。
【請求項９】
被収容物を収容し、被収容物を取り出す開口を有する略直方体形状の収容部と、前記開口を少なくとも覆う蓋部と、を含む紙製のパッケージであって、
前記蓋部の端部と、前記収容部の開口の端部とのうち、少なくとも何れか一方の端部に連なり、前記パッケージの内側に折り曲げられ、当該端部に接着される折り曲げ部と、
前記端部と前記折り曲げ部との境界に設けられ、前記折り曲げ部が折り曲げられる直線状の折れ線と、
前記折れ線の近傍、かつ、前記端部又は前記折り曲げ部に設けられ、前記折れ線からの距離が変化する罫線であって、前記折り曲げ部が折り曲げられた際に、前記端部又は前記折り曲げ部が折れ曲がる罫線と、を備える紙製のパッケージ。
【請求項１０】
被収容物を収容し、被収容物を取り出す開口を有する内箱と、内箱を収容し、内箱を出し入れする出し入れ口を有する外箱と、を含む紙製のパッケージであって、
前記内箱の開口の端部と、前記外箱の出し入れ口の端部とのうち、少なくとも何れか一方の端部に連なり、前記パッケージの内側に折り曲げられ、当該端部に接着される折り曲げ部と、
前記端部と前記折り曲げ部との境界に設けられ、前記折り曲げ部が折り曲げられる直線状の折れ線と、
前記折れ線の近傍、かつ、前記端部又は前記折り曲げ部に設けられ、前記折れ線からの距離が変化する罫線であって、前記折り曲げ部が折り曲げられた際に、前記端部又は前記折り曲げ部が折れ曲がる罫線と、を備える紙製のパッケージ。
【発明の詳細な説明】
【技術分野】
【０００１】
本発明は、紙製品の端部構造、及び紙製のパッケージに関する。
【背景技術】
【０００２】
従来、たばこ商品等の被収容物を収容するパッケージ（包装）として、ソフトパック型パッケージ、ハード型パッケージ等が公知である。ハード型パッケージの１つの形態として、蓋（リッド）を備えたヒンジリッドパッケージ（ヒンジリッドボックスとも言う）が知られている。この種のヒンジリッドパッケージは、通常、ボックス状の外形を有し、シガレット束を収容する収容部と、収容部の上部に形成される開口端を開閉するための蓋が、開口端の縁部に沿って設けられるヒンジを介して回動自在に連結されている。
【先行技術文献】
【特許文献】
【０００３】
【特許文献１】特表２００５−５１２９０９号公報
【特許文献２】特開２００９−２９２５１６号公報
【特許文献３】特表２００６−５２１２４５号公報
【特許文献４】特開２０１１−６８４１１号公報
【発明の概要】
【発明が解決しようとする課題】
【０００４】
ヒンジリッドパッケージは紙製が一般的であり、紙製のヒンジリッドパッケージでは、紙の撓みを起因として、蓋と本体との間に隙間が生じるといった問題があった。このような問題を解決するため、蓋と本体の一部を嵌合することで隙間の発生を防ぐ技術が提案されている。但し、このような従来技術では、パッケージの構造が複雑化することが懸念される。また、繰り返し嵌合することによる、嵌合箇所の紙の劣化も懸念される。なお、このような問題は、ヒンジリッドパッケージに限らず、内箱と外箱を有するスライド式のパッケージを始めとして、紙製品全般において言える。特に紙製品の端部では、撓みや劣化が懸念される。【０００５】
本発明は、上記の問題に鑑み、紙製品の端部の撓み、及び劣化を抑制する技術を提供することを課題とする。
【課題を解決するための手段】
【０００６】
本発明は、上述した課題を解決するため、紙製品の端部を折り曲げるとともに、折り曲げ方を工夫して、折り曲げ部分に予め引張力を与えられるようにした。【０００７】
詳細には、本発明は、紙製品の端部構造であって、前記紙製品の端部と、前記端部に連なり、当該端部側に折り曲げられ、当該端部に接着される折り曲げ部と、前記端部と前記折り曲げ部との境界に設けられ、前記折り曲げ部が折り曲げられる直線状の折れ線と、前記折れ線の近傍、かつ、前記端部又は前記折り曲げ部に設けられ、前記折れ線からの距離が変化する罫線であって、前記折り曲げ部が折り曲げられた際に、前記端部又は前記折り曲げ部が折れ曲がる罫線と、を備える紙製品の端部構造である。【０００８】
本発明に係る紙製品の端部構造は、折れ線に加えて罫線を備えることを特徴の一つとする。罫線は、一般的な罫線と同じように、紙製品を折り曲げ易くするためのもので、折り目、ミシン目、薄肉によって構成することができる。紙製品は、本来、罫線位置で折れ曲がることになるが、本発明に係る紙製品の端部構造では、折り曲げるための罫線を有しているにも関わらず、罫線に反して、罫線とは別の折れ線で折り曲げられる。ここで、紙製品を折り曲げると、折り曲げた位置では、元に戻ろうとする復元力が作用する。本発明に係る紙製品の端部構造では、折り曲げ部が折れ線で折り曲げられることに加えて、罫線においても折れ曲がり、罫線においても復元力が作用する。更に、この罫線は、折れ線からの距離が変化するように形成されている。そのため、例えば罫線を折れ線と平行な直線状とする場合と比較すると、罫線では折り曲げ難くなっている。したがって、紙製品を直線状の折れ線で折り曲げた際、罫線では、抵抗しながら折れ曲がるため、より強い復元力が作用する。更に、折り曲げ部は、端部に接着されている。その結果、紙製品の端部では、従来よりも強い復元力が作用するものの、元に戻ることができない。そのため、本発明に係る紙製品の端部構造では、紙製品の端部の内部に、引張力が作用し、紙製品の端部が撓むことが抑制される。つまり、本発明に係る紙製品の端部構造では、引張力を制御、換言すると撓みを制御することで、経年劣化による紙の撓みを抑制している。また、本発明に係る紙製品の端部構造は、折り曲げ部が折り曲げられており二重構造であり、更に非常に単純な構成であるため、劣化し難くなっている。【０００９】
前記罫線は、前記折れ線からの距離が徐々に長くなり、再び短くなるＶ字状とすることができる。罫線の一例にすぎないが、罫線をＶ字状とすることで、罫線の加工も容易であり、引張力の調整も行い易くなる。罫線は、直線状でもよく、また、曲線状でもよい。Ｖ字の罫線の位置は、折れ線の全体に亘って設けてもよく、また、折れ線の一部（例えば、中央部や端部）に設けてもよい。Ｖ字の数は、一つでもよく、複数でもよい。換言すると、罫線は、複数の前記Ｖ字を有する構成としてもよい。複数のＶ字を設けることで、より強い引張力を作用させることができる。罫線は、Ｖ字の頂点が紙製品の端部側、折り曲げ部側の何れに設けられていてもよいが、折り曲げ部側に設けることがより好ましい。罫線を折り曲げ部側に設けることで、折れ線と罫線の復元力の方向が一致し、より強い引張力を作用させることができる。【００１０】
ここで、前記罫線は、前記直線状の折れ線の両端部から延び、当該折れ線と所定の角度を成すものでもよい。本発明は、Ｖ字を構成する２本の線の基端を折れ線の両端部に設けた一例である。Ｖ字の罫線を折れ線の両端部から伸ばすことで、折れ線の両端部近傍では罫線が折れ線に近接し、中央に向けて折れ線との距離が徐々に長くなる。そのため、紙製品が罫線で折れ曲がる際にも目立ち難くなり、罫線を設けたことによる紙製品の形状の変化を少なくすることができる。所定の角度を大きくすると、罫線で折れ曲がり難くなるため、引張力は大きくなる。一方、所定の角度を小さくすると、罫線で折れ曲がり易くなり、引張力は小さくなる。また、所定の角度を大きくすると、端部の厚みが増してしまい、紙製品の形状が変わってしまい、紙製品への影響が懸念される。一方、所定の角度を小さくすることで、紙製品の形状の変化を少なくすることができる。したがって、所定の角度は、引張力、紙製品の形状の変化を考慮して設計することができる。なお、罫線は、直線状でもよく、曲線状でもよい。罫線が曲線状の場合、罫線と折れ線とのなす角は、曲線状の罫線の接線と直線状の折れ線とのなす角とすることができる。【００１１】
また、前記所定の角度は、０．１〜５．０度とすることができる。好ましくは、前記所定の角度は、０．２〜２．０度とすることができる。より好ましくは、前記所定の角度は、０．５〜１．０度とすることができる。これにより、十分な引張力を作用させることができ、また、紙製品の形状の変化も抑えることができる。【００１２】
また、折り曲げ部は、先端部が当該端部に接着されるようにしてもよい。復元力が最も大きく作用する先端部を接着することで、引張力を効果的に作用させることができる。折り曲げ部は、全体が当該端部に接着されるようにしてもよい。【００１３】
また、前記罫線は、前記端部に設けた場合と、前記折り曲げ部に設けた場合で、当該紙製品の端部の内部に作用する引張力が異なるものとすることができる。前記罫線を端部に設けた場合には、紙製品の端部構造は、端部側を膨らませることができる。一方、罫線を折り曲げ部に設けた場合には、紙製品の端部構造は、折り曲げ部側を膨らませる（端部側を凹ませる）ことができる。つまり、罫線を設ける位置によって、端部構造を膨らませる方向（凹ませる方向）を決定することができる。したがって、罫線の設ける位置は、紙製品の用途に応じて適宜変更することができる。【００１４】
ここで、本発明は、上述した紙製品の端部構造を有するパッケージとして特定することができる。例えば、本発明は、紙製のパッケージであって、前記紙製のパッケージの開口縁の少なくとも一部を形成する端部と、前記端部に連なり、当該端部側に折り曲げられ、当該端部に接着される折り曲げ部と、前記端部と前記折り曲げ部との境界に設けられ、前記折り曲げ部が折り曲げられる直線状の折れ線と、前記折れ線の近傍、かつ、前記端部又は前記折り曲げ部に設けられ、前記折れ線からの距離が変化する罫線であって、前記折り曲げ部が折り曲げられた際に、前記端部又は前記折り曲げ部が折れ曲がる罫線と、を備える紙製のパッケージである。【００１５】
本発明に係る紙製のパッケージでは、紙製のパッケージの開口縁の少なくとも一部を形成する端部の内部に、引張力が作用する。そのため、パッケージの開口における、経年劣化による撓みが抑制される。したがって、例えば、パッケージが蓋部と収容部によって構成されている場合、蓋部と収容部との間に隙間が生じ難い。また、本発明に係る紙製のパッケージは、折り曲げ部が折り曲げられており二重構造であり、更に非常に単純な構成であるため、パッケージの開口が劣化し難くなっている。【００１６】
紙製のパッケージは、例えば、被収容物を収容し、被収容物を取り出す開口を有する略直方体形状の収容部と、前記開口を少なくとも覆う蓋部と、を含むパッケージとすることができる。このようなパッケージでは、上述した本発明に係る端部構造は、蓋部の端部、例えば、蓋部の上壁、又は蓋部の前壁の端部に用いることができる。また、上述した本発明に係る端部構造は、収容部の開口の端部に用いるようにしてもよい。具体的には、本発明は、被収容物を収容し、被収容物を取り出す開口を有する略直方体形状の収容部と、前記開口を少なくとも覆う蓋部と、を含む紙製のパッケージであって、前記蓋部の端部と、前記収容部の開口の端部とのうち、少なくとも何れか一方の端部に連なり、前記パッケージの内側に折り曲げられ、当該端部に接着される折り曲げ部と、前記端部と前記折り曲げ部との境界に設けられ、前記折り曲げ部が折り曲げられる直線状の折れ線と、前記折れ線の近傍、かつ、前記端部又は前記折り曲げ部に設けられ、前記折れ線からの距離が変化する罫線であって、前記折り曲げ部が折り曲げられた際に、前記端部又は前記折り曲げ部が折れ曲がる罫線と、を備える紙製のパッケージである。折り曲げ部をパッケージの内側に折り曲げることで、蓋部の端部や収容部の開口の端部には、内側に向けた引張力が作用する。その結果、蓋部と収容部との間に隙間が生じ難くなる。【００１７】
また、紙製のパッケージは、例えば、被収容物を収容し、被収容物を取り出す開口を有する内箱と、内箱を収容し、内箱を出し入れする出し入れ口を有する外箱と、を含むパッケージとすることができる。このようなパッケージでは、上述した本発明に係る端部構造は、内箱の開口の端部に用いることができる。また、上述した本発明に係る端部構造は、外箱の出し入れ口の端部に用いるようにしてもよい。具体的には、本発明は、被収容物を収容し、被収容物を取り出す開口を有する内箱と、内箱を収容し、内箱を出し入れする出し入れ口を有する外箱と、を含む紙製のパッケージであって、前記内箱の開口の端部と、前記外箱の出し入れ口の端部とのうち、少なくとも何れか一方の端部に連なり、前記パッケージの内側に折り曲げられ、当該端部に接着される折り曲げ部と、前記端部と前記折り曲げ部との境界に設けられ、前記折り曲げ部が折り曲げられる直線状の折れ線と、前記折れ線の近傍、かつ、前記端部又は前記折り曲げ部に設けられ、前記折れ線からの距離が変化する罫線であって、前記折り曲げ部が折り曲げれた際に、前記端部又は前記折り曲げ部が折れ曲がる罫線と、を備える紙製のパッケージである。折り曲げ部をパッケージの内側に折り曲げることで、内箱の開口の端部や外箱の出し入れ口の端部には、内側に向けた引張力が作用する。その結果、内箱と外箱との間に隙間が生じ難くなる。【００１８】
なお、本発明の紙製品の端部構造が適用される紙製のパッケージは、上記に限定されない。本発明の紙製品の端部構造は、紙製のパッケージの端部であって、折り曲げることができる紙製のパッケージの端部に広く用いることができる。なお、上述したパッケージでは、引張力をパッケージの内側に作用させるが、用途に応じて引張力をパッケージの外側に作用させるようにしてもよい。例えば、前壁を有する蓋部と、この蓋部の前壁と一部が重なる前壁を有する収容部とを備えるパッケージにおいて、収容部の前壁の端部に、引張力をパッケージの外側に作用させる端部構造を用いることができる。これにより、収容物の前壁と蓋部の前壁との抵抗が増し、蓋閉まりが向上する。【００１９】
また、本発明は、上述した紙製のパッケージのブランクとして特定することもできる。例えば、本発明は、被収容物を収容し、被収容物を取り出す開口を有する略直方体形状の収容部と、前記開口を少なくとも覆う蓋部と、を含む紙製のパッケージのブランクであって、前記蓋部を構成する蓋パネルと、前記蓋パネルと連なり、又は前記蓋パネルと別部材からなり、前記収容部を構成する収容パネルと、前記蓋パネルの端部と、前記収容パネルの端部とのうち、少なくとも何れか一方の端部に連なり、前記パッケージの内側に折り曲げられ、前記蓋パネルと前記収容パネルとのうち少なくとも何れか一方のパネルに接着される補強パネルと、前記蓋パネルの端部、又は前記収容パネルの端部と、前記補強パネルとの境界に設けられ、前記補強パネルが折り曲げられる直線状の折れ線と、前記折れ線の近傍、かつ、前記蓋パネル又は前記収容パネルと、前記補強パネルとのうちの一方に設けられ、前記折れ線からの距離が変化する罫線であって、前記補強パネルが折り曲げられた際に、前記蓋パネル又は前記収容パネルと、前記補強パネルとのうちの一方が折れ曲がる罫線と、を備える紙製のパッケージのブランクである。【００２０】
また、例えば、本発明は、被収容物を収容し、被収容物を取り出す開口を有する内箱と、内箱を収容し、内箱を出し入れする出し入れ口を有する外箱と、を含む紙製のパッケージのブランクであって、前記内箱を構成する内箱パネルと、前記内箱パネルと別部材からなり、前記外箱部を構成する外箱パネルと、前記内箱パネルの端部と、前記外箱パネルの端部とのうち、少なくとも何れか一方の端部に連なり、前記パッケージの内側に折り曲げられ、前記内箱パネルと前記外箱パネルとのうち少なくとも何れか一方のパネルに接着される補強パネルと、前記内箱パネルの端部、又は前記外箱パネルの端部と、前記補強パネルとの境界に設けられ、前記補強パネルが折り曲げられる直線状の折れ線と、前記折れ線の近傍、かつ、前記内箱パネル又は前記外箱パネルと、前記補強パネルとのうちの一方に設けられ、前記折れ線からの距離が変化する罫線であって、前記補強パネルが折り曲げられた際に、前記内箱パネル又は前記外箱パネルと、前記補強パネルとのうちの一方が折れ曲がる罫線と、を備える紙製のパッケージのブランクである。【００２１】
紙製のパッケージの収容部に収容する被収容物は特に限定されるものではないが、棒状物品の集合体、例えばたばこ商品を被収容物として好適に例示できる。すなわち、本発明に係る被収容物はたばこ商品であってもよい。なお、たばこ商品とは、例えば紙巻たばこ（フィルタシガレット、両切たばこ（フィルタ無し））、シガー（葉巻）、シガリロ、スヌース、嗅ぎたばこ、チューイングたばこ、電子たばこ等が例示できる。【００２２】
なお、本発明における課題を解決するための手段は、可能な限り組み合わせて採用することができる。
【発明の効果】
【００２３】
本発明によれば、紙製品の端部の撓み、及び劣化を抑制する技術を提供することができる。
【図面の簡単な説明】
【００２４】
【図１】図１は、第一実施形態に係る紙製品の端部構造の作成工程を示す。
【図２】図２は、第一実施形態に係る紙製品の端部構造の折り曲げ前の拡大平面図を示す。
【図３Ａ】図３Ａは、第一実施形態に係る紙製品の端部構造の平面図を示す。
【図３Ｂ】図３Ｂは、図３ＡのＡ−Ａ断面図を示す。
【図３Ｃ】図３Ｃは、図３ＡのＢ−Ｂ断面図を示す。
【図４】図４は、第一実施形態の変形例１に係る紙製品の端部構造の折り曲げ前の拡大平面図を示す。
【図５】図５は、第一実施形態の変形例２に係る紙製品の端部構造の折り曲げ前の拡大平面図を示す。
【図６】図６は、第二実施形態に係るパッケージのリッドを閉じた状態を前方上方から見た斜視図を示す。
【図７】図７は、第二実施形態に係るパッケージのリッドを開放した状態を前方上方から見た斜視図を示す。
【図８】図８は、第二実施形態に係るパッケージのリッドを閉じた状態を上方から見た平面図を示す。
【図９】図９は、第二実施形態に係るパッケージのブランクのうち、リッドの上壁付近のブランクを示す。
【図１０】図１０は、第三実施形態に係るパッケージのリッドを閉じた状態を前方上方から見た斜視図を示す。
【図１１】図１１は、第三実施形態に係るパッケージのリッドを開放した状態を前方上方から見た斜視図を示す。
【図１２】図１２は、第三実施形態に係るパッケージのリッドを閉じた状態を前方から見た正面図を示す。
【図１３】図１３は、第三実施形態に係るパッケージのリッドを閉じた状態を上方から見た平面図を示す。
【図１４】図１４は、第三実施形態に係るパッケージのブランクを示す。
【図１５】図１５は、第四実施形態に係るパッケージの内箱を外箱に収容した状態を前方上方から見た斜視図を示す。
【図１６】図１６は、第四実施形態に係るパッケージの内箱を外箱からスライドさせた状態を前方上方から見た斜視図を示す。
【図１７】図１７は、第四実施形態に係るパッケージの内箱を外箱から取り出した状態を前方上方から見た斜視図を示す。
【発明を実施するための形態】
【００２５】
次に、本発明に係る紙製品の端部構造の実施形態について、図面に基づいて説明する。
【００２６】
＜作成工程＞
図１は、第一実施形態に係る紙製品の端部構造の作成工程を示す。図１の左側の（ａ−１）〜（ａ−４）は、紙製品の端部の平面図を示す。図１の右側の（ｂ−１）〜（ｂ−４）は、紙製品の端部の平断面図示す。
【００２７】
第一実施形態に係る紙製品の端部構造の作成では、初めに、紙製品に対して罫線ＲＬが加工される。図１（ａ−１）、図１（ｂ−１）に示すように、第一実施形態に係る紙製品の端部構造１は、紙製品の端部２、端部２に連なり、端部２側に折り曲げられ、端部２の糊代３に接着される折り曲げ部４、端部２と折り曲げ部４との境界に設けられ、折り曲げ部４が折り曲げられる直線状の折れ線ＢＬ、折れ線ＢＬの近傍、かつ、折り曲げ部４に設けられ、折れ線ＢＬからの距離が変化するＶ字状の罫線ＲＬであって、折り曲げ部４が折り曲げられた際に折れ曲がる罫線ＲＬ、を備える。
【００２８】
図２は、第一実施形態に係る紙製品の端部構造の折り曲げ前の拡大平面図を示す。第一実施形態に係る紙製品の端部構造１は、直線状の折れ線ＢＬの近傍にＶ字状の罫線ＲＬを備えることを特徴の一つとする。罫線ＲＬは、一般的な罫線と同じように、紙製品を折り曲げ易くするためのものである。罫線ＲＬは、折り目、ミシン目、薄肉によって構成することができる。罫線ＲＬの加工は、既存の加工技術、プロッターによる加工、型押しによる加工が例示される。
【００２９】
第一実施形態の罫線ＲＬは、Ｖ字を形成する２本の直線が直線状の折れ線ＢＬの両端部から延び、折れ線ＢＬと所定の角度αを成している。第一実施形態では、所定の角度αが１度である。所定の角度αは、この角度に限定されない。所定の角度αは、０．１〜５．０度とすることができる。好ましくは、所定の角度αは、０．２〜２．０度とすることができる。より好ましくは、所定の角度αは、０．５〜１．０度とすることができる。所定の角度αを大きくすると、罫線ＲＬで折れ曲がり難くなるため、引張力は大きくなる。一方、所定の角度αを小さくすると、罫線ＲＬで折れ曲がり易くなり、引張力は小さくなる。また、所定の角度αを大きくすると、端部の厚みが増し、紙製品の形状が変わることで、紙製品への影響が懸念される。一方、所定の角度αを小さくすることで、紙製品の形状の変化を少なくすることができる。したがって、所定の角度αは、引張力、紙製品の形状の変化を考慮して設計することができる。なお、罫線ＲＬは、曲線状でもよい。
【００３０】
図１の説明に戻る。図１（ａ−２）、（ａ−３）、図１（ｂ−２）、（ｂ−３）に示すように、第一実施形態に係る紙製品の端部構造１の作成では、次に、直線状の折れ線ＢＬで折り曲げられる。第一実施形態に係る紙製品の端部構造１では、折り曲げ部４が折れ線ＢＬで折り曲げられることに加えて、Ｖ字状の罫線ＲＬにおいても折れ曲がる。そのため、折れ線ＢＬ及び罫線ＲＬ付近は、図１（ａ−３）に示すように、僅かにＶ字状となる。なお、図面は、強調して示しており、所定の角度αが１度の場合、折れ線ＢＬ及び罫線ＲＬ付近は、凡そ直線状である。他の図面についても同様である。
【００３１】
図１（ａ−４）、図１（ｂ−４）に示すように、第一実施形態に係る紙製品の端部構造１の作成では、次に、折り曲げ部４が、端部２の糊代３に接着される。第一実施形態では、折り曲げ部４の先端部が接着されている。復元力が最も大きく作用する先端部を接着することで、引張力を効果的に作用させることができる。なお、折り曲げ部４は、全体が端部２に接着されるようにしてもよい。以上により、第一実施形態に係る紙製品の端部構造１が完成する。
【００３２】
＜構成＞
図３Ａは、第一実施形態に係る紙製品の端部構造の平面図を示す。図３Ｂは、図３ＡのＡ−Ａ断面図を示す。図３Ｃは、図３ＡのＢ−Ｂ断面図を示す。第一実施形態に係る紙製品の端部構造１は、直線状の折れ線ＢＬ、及び罫線ＲＬで折り曲げられ、端部２及び折り曲げ部４が折り重なり二重構造となっている。また、端部２及び折り曲げ部４は、折り曲げ部４側が膨らむように湾曲している。
【００３３】
＜作用効果＞
紙製品は、本来、罫線位置で折れ曲がることになるが、第一実施形態に係る紙製品の端部構造１では、罫線ＲＬとは別の折れ線ＢＬで折り曲げられる。ここで、紙製品を折り曲げると、折り曲げた位置では、元に戻ろうとする復元力が作用する。第一実施形態に係る紙製品の端部構造１では、折り曲げ部４が折れ線ＢＬで折り曲げられることに加えて、罫線ＲＬにおいても折れ曲がり、罫線ＲＬにおいても復元力が作用する。更に、この罫線ＲＬは、折れ線ＢＬからの距離が変化するようＶ字状に形成されている。そのため、例えば罫線ＲＬを折れ線と平行な直線状とする場合と比較すると、Ｖ字状の罫線ＲＬは折り曲げ難くなっている。したがって、紙製品を直線状の折れ線ＢＬで折り曲げた際、罫線ＲＬでは、抵抗しながら折れ曲がるため、より強い復元力が作用する。更に、折り曲げ部４は、端部２に接着されている。その結果、紙製品の端部２では、従来よりも強い復元力が作用するものの、元に戻ることができない。そのため、第一実施形態に係る紙製品の端部構造１では、端部２及び折り曲げ部４の内部に、折り曲げ部４側が膨らむように、引張力が作用する。その結果、端部２及び折り曲げ部４は、折り曲げ部４側が膨らむように湾曲している。第一実施形態に係る紙製品の端部構造１では、端部２及び折り曲げ部４の内部に予め引張力が作用していることから、経年劣化による紙の撓みを抑制することができる。また、第一実施形態に係る紙製品の端部構造１は、端部２及び折り曲げ部４が折り重なり二重構造であり、更に非常に単純な構成であるため、劣化し難くなっている。
【００３４】
また、Ｖ字状の罫線ＲＬを折れ線ＢＬの両端部から伸ばすことで、折れ線ＢＬの両端部近傍では罫線ＲＬが折れ線ＢＬに近接し、中央に向けて折れ線ＢＬとの距離が徐々に長くなる。そのため、紙製品が罫線ＲＬで折れ曲がる際にも目立ち難くなり、罫線ＲＬを設けたことによる紙製品の形状の変化を少なくすることができる。
【００３５】
＜変形例１＞
第一実施形態に係る紙製品の端部構造１は、一例にすぎない。例えば、罫線ＲＬは、図４に示すようにＶ字状の罫線ＲＬを折れ線ＢＬの中央部に設けてもよい。折れ線ＢＬから罫線ＲＬの頂点までの距離を同じとして第一実施形態と比較すると、図４に示す例（変形例１）では、所定の角度αが第一実施形態よりも大きくなる。その結果、端部２及び折り曲げ部４の内部に、より大きい引張力を作用させることができる。
【００３６】
＜変形例２＞
また、例えば、罫線ＲＬは、図５に示すようにＶ字状の罫線ＲＬを複数設けてもよい。折れ線ＢＬから罫線ＲＬの頂点までの距離を同じとして第一実施形態と比較すると、図５に示す例では、所定の角度αが第一実施形態よりも大きくなる。また、折れ線ＢＬから罫線ＲＬの頂点までの距離を同じとして第一実施形態の変形例１と比較すると、図５に示す例（変形例２）では、変形例１と同様のＶ字状の罫線ＲＬが２つ存在している。その結果、端部２及び折り曲げ部４の内部により大きい引張力を作用させることができる。
【００３７】
＜その他の変形例＞
なお、罫線ＲＬは、端部２側に設けてもよい。罫線ＲＬを折り曲げ部４側に設けた場合、端部２及び折り曲げ部４は、折り曲げ部４側が膨らむように湾曲する。一方、罫線ＲＬを端部２側に設けた場合、端部２及び折り曲げ部４は、端部２側が膨らむように（折り曲げ部４側が凹むように）湾曲する。つまり、罫線ＲＬを設ける位置によって、端部を膨らませる方向（凹ませる方向）を決定することができる。したがって、罫線ＲＬの設ける位置は、用途に応じて適宜変更することができる。
【００３８】
＜第二実施形態＞
次に、第一実施形態に係る紙製品の端部構造１を紙製のパッケージに適用した場合について説明する。パッケージに収容する被収容物は特定のものに限定されないが、ここでは、フィルタシガレットや両切シガレット等のたばこ商品をパッケージに収容する場合を例に説明する。また、本実施形態に記載されている構成要素の、材質、形状、その相対配置等は、特に特定的な記載がない限りは、発明の技術的範囲をそれらのみに限定する趣旨のものではない。
【００３９】
図６は、第二実施形態に係るヒンジリッドパッケージ（以下、単に“パッケージ”という）のリッド３０ａを閉じた状態を前方上方から見た斜視図を示す。図７は、第二実施形態に係るパッケージのリッドを開放した状態を前方上方から見た斜視図を示す。図８は、第二実施形態に係るパッケージのリッドを閉じた状態を上方から見た平面図を示す。
【００４０】
第二実施形態に係るパッケージ１０ａは、略直方体形状を有する所謂ヒンジ蓋付きボックス型パッケージである。パッケージ１０ａは、収容部としてのパッケージ本体２０ａと、パッケージ本体２０ａにヒンジＨを介して回動自在に連結される蓋部材としてのリッド３０ａを含んで構成されている。以下、本明細書では、特に言及する場合を除いて、パッケージ１０ａの正面側を“前方”と定義し、背面側を“後方”と定義する。また、パッケージ１０ａのリッド側を“上方”と定義し、反対側（パッケージの底側）を“下方”と定義する。
【００４１】
パッケージ本体２０ａは、直方体形状の上端側が斜めに切り欠かれた形状を有する箱体である。パッケージ本体２０ａは、対向するパッケージ本体の前壁２１ａ及び後壁、対向する側壁２２ａ，２２ａ、下壁を有する。パッケージ本体２０ａは、上部が開口しており、たばこ商品の出し入れが自在である。パッケージ本体２０ａの後壁の上端にはヒンジＨが形成されている。ヒンジＨは、パッケージ本体の各側壁２２ａ，２２ａの上端縁の後部間に亘って延伸し、パッケージ本体の後壁とリッド３０ａとを相互に回動自在に連結している。
【００４２】
インナフレーム４０ａは、略Ｕ字形状の前面フレームと、この前面フレームの両側縁に連結された側面フレームとを有する。インナフレーム４０ａは、パッケージ本体２０ａの上部の開口端から部分的に上方へ突出した状態で、パッケージ本体２０ａの内面、具体的には、パッケージ本体の前壁２１ａ及び側壁２２ａ，２２ａの内面に接着されている。
【００４３】
リッド３０ａは、ヒンジＨに連結されている長方形のリッドの後壁と、リッドの後壁に直交するように連結されている長方形のリッドの上壁３４ａと、リッドの上壁３４ａに直交するように連結されている長方形のリッドの前壁３１ａと、一組のリッドの側壁３２ａ，３２ａとを有している。リッド３０ａの一組の側壁３２ａ，３２ａは、夫々台形状であり、リッドの後壁、上壁３４ａ及び前壁３１ａの各側縁と連結されている。
【００４４】
第二実施形態に係るパッケージ１０ａは、リッドの前壁３１ａに第一実施形態に係る紙製品の端部構造１が用いられている。紙製品の端部構造１における端部２は、リッドの前壁３１ａに相当し、折り曲げ部４は、リッドの前壁３１ａを補強するリッドの前壁補強フレーム３５ａに相当する。そして、リッドの前壁３１ａの下縁、すなわちリッドの前壁補強フレーム３５ａの折り曲げ部分には、折れ線ＢＬ及び罫線ＲＬが存在し、補強フレームは、折れ線ＢＬ及び罫線ＲＬで内側に折り曲げられている。その結果、図６、図７、及び図８に示すように、リッドの前壁３１ａは、後方に膨らむように僅かに湾曲している。
【００４５】
図９は、第二実施形態に係るパッケージのブランクのうち、リッドの上壁付近のブランクを示す。リッドの上壁３４ａを構成する上壁パネルの上縁には、後壁パネルとは反対側に位置してリッドの前壁３１ａとなる前壁パネルＰ１が連なっている。前壁パネルＰ１の上縁には、リッドの前壁補強フレーム３５ａを構成する前壁補強パネルＰ２が更に連なっている。前壁補強パネルＰ２が、折れ線ＢＬ及び罫線ＲＬで内側に折り曲げられ、前壁パネルＰ１に重ね合わされ、接着されることで、リッドの前壁３１ａの補強をなす。なお、前壁パネルＰ１の両側縁には、リッドの側壁３２ａとなる側壁パネルＰ３が夫々連なっている。側壁パネルＰ３の下に位置するパネルは、上壁パネルに重ね合わされ、リッドの上壁の補強をなすインナトップフラップＰ４である。
【００４６】
第二実施形態に係るパッケージ１０ａでは、リッドの前壁３１ａに第一実施形態に係る紙製品の端部構造１が用いられ、リッドの前壁３１ａ及びリッドの前壁補強パネル３５ａは、後方に膨らむように僅かに湾曲している。すなわち、リッドの前壁３１ａ及びリッドの前壁補強パネル３５ａの内部には、リッドの前壁３１ａが後方に膨らむように、引張力が作用している。その結果、経年劣化による紙の撓みを抑制することができる。リッドの前壁３１ａ及びリッドの前壁補強パネル３５ａが折り重なり二重構造であり、更に非常に単純な構成であるため、劣化し難くなっている。また、リッドの前壁３１ａ及びリッドの前壁補強パネル３５ａは、後方に膨らむように僅かに湾曲し、インナフレーム４０ａと密着することから、蓋閉まりが向上する。また、リッド３０ａとパッケージ本体２０ａの開口との間に隙間が生じにくいため、たばこ商品、例えばシガレットの刻が外部にこぼれ難くなっている。
【００４７】
＜第三実施形態＞
図１０は、第三実施形態に係るパッケージのリッドを閉じた状態を前方上方から見た斜視図を示す。図１１は、第三実施形態に係るパッケージのリッドを開放した状態を前方上方から見た斜視図を示す。図１２は、第三実施形態に係るパッケージのリッドを閉じた状態を前方から見た正面図を示す。図１３は、第三実施形態に係るパッケージのリッドを閉じた状態を上方から見た平面図を示す。
【００４８】
第三実施形態に係るパッケージ１０ｂは、略直方体形状を有する所謂ヒンジ蓋付きボックス型パッケージである。第三実施形態に係るパッケージ１０ｂは、第二実施形態に係るパッケージ１０ａと同じく、収容部としてのパッケージ本体２０ｂと、パッケージ本体２０ｂにヒンジＨを介して回動自在に連結される蓋部材としてのリッド３０ｂを含んで構成されている。但し、第三実施形態に係るパッケージ１０ｂは、前方の壁が全てパッケージ本体の前壁２１ｂによって構成されている。そのため、リッド３０ｂは、リッドの上壁３４ｂ、リッドの側壁３２ｂ，３２ｂ、リッドの後壁によって構成され、リッドの前壁を備えない構成である。また、第三実施形態に係るパッケージ１０ｂは、インナフレームも備えない構成である。なお、符号の数字に続くアルファベットは、実施形態を区別するためのものであり、数字が同じ場合には、特に言及する場合を除いて、同様の機能を有するものとする。他の実施形態の説明においても同様とする。
【００４９】
上記のような第三実施形態に係るパッケージ１０ｂは、リッド３０ｂとパッケージ本体２０ｂとの間、より詳細には、リッドの上壁３４ｂの前縁とパッケージ本体の前壁２１ｂの上縁との間に隙間が生じやすい。そこで、第三実施形態に係るパッケージ１０ｂは、リッドの上壁３４ｂと、パッケージ本体の前壁２１ｂの夫々に、第一実施形態に係る紙製品の端部構造１が用いられている。リッド３０ｂについては、紙製品の端部構造１の端部２が、リッドの上壁３４ｂに相当し、折り曲げ部４が、リッドの上壁３４ｂを補強するリッドの上壁補強フレーム３６ｂに相当する。そして、リッドの上壁３４ｂの前縁、すなわちリッドの上壁補強フレーム３６ｂの折り曲げ部分には、折れ線ＢＬ及び罫線ＲＬが存在し、リッドの上壁補強フレーム３６ｂは、折れ線ＢＬ及び罫線ＲＬで内側に折り曲げられている。また、パッケージ本体２０ｂについては、紙製品の端部構造１の端部２が、パッケージ本体の前壁２１ｂに相当し、折り曲げ部４が、パッケージ本体の前壁２１ｂを補強するパッケージ本体の前壁補強フレーム２５ｂに相当する。そして、パッケージ本体の前壁２１ｂの上縁、すなわちパッケージ本体の前壁補強フレーム２５ｂの折り曲げ部分には、折れ線ＢＬ及び罫線ＲＬが存在し、パッケージ本体の前壁補強フレーム２５ｂは、折れ線ＢＬ及び罫線ＲＬで内側に折り曲げられている。その結果、図１０、図１１、図１２、及び図１３に示すように、リッドの上壁３４ｂは、下方に膨らむように僅かに湾曲している。また、パッケージ本体の前壁２１ｂは、後方に膨らむように僅かに湾曲している。
【００５０】
図１４は、第三実施形態に係るパッケージのブランクを示す。図１４に示すように、第１ブランクＢ１は、パッケージ本体２０ｂとなる本体区域Ｒ１、リッド３０ｂとなる蓋区域Ｒ２を有している。本体区域Ｒ１は、パッケージ本体の前壁２１ｂとなる本体の前壁パネルＰ５を有している。本体の前壁パネルＰ５の下縁には、パッケージ本体の前壁補強フレーム２５ｂとなる本体の前壁補強パネルＰ６が連なっている。本体の前壁補強パネルＰ６が、折れ線ＢＬ及び罫線ＲＬで折り曲げられ、本体の前壁パネルＰ５に重ね合わされ、接着されることで、パッケージ本体の前壁の補強をなす。また、本体の前壁パネルＰ５の両側縁には、パッケージ本体の側壁２２ｂとなる本体の側壁パネルＰ７,Ｐ７が連なっている。
【００５１】
また、本体の前壁パネルＰ５の上縁には、パッケージ本体の下壁となる本体の下壁（底板）パネルＰ８が連なっている。本体の下壁パネルＰ８には、本体の前壁パネルＰ５とは反対側に位置してパッケージ本体の後壁となる本体の後壁パネルＰ９が連なっている。本体の後壁パネルＰ９の両側縁には、パッケージ本体の側壁２２ｂ，２２ｂとなる本体のインナサイドフラップＰ１０,Ｐ１０が連なっている。また、本体のインナサイドフラップＰ１０,Ｐ１０の下縁には、本体のインナボトムフラップＰ１１が連なっており、これら本体のインナボトムフラップＰ１１は本体の下壁パネルＰ８に重ね合わされ、パッケージ本体の下壁の補強をなす。
【００５２】
蓋区域Ｒ２は、リッドの後壁となるリッドの後壁パネルＰ１２を有しており、リッドの後壁パネルＰ１２の下縁は、ヒンジＨとなるヒンジラインＬ１を介して本体区域Ｒ１の本体の後壁パネルＰ９と連結されている。また、リッドの後壁パネルＰ１２の上縁には、リッドの上壁３４ｂとなるリッドの上壁パネルＰ１３が連なっている。リッドの上壁パネルＰ１３の両縁には、リッドの側壁３２ｂ，３２ｂとなるリッドの側壁パネルＰ１４，Ｐ１４が夫々連なっている。また、リッドの後壁パネルＰ１２の両側縁には、リッドの側壁３２ｂ，３２ｂの一部となるリッドのインナサイドフラップＰ１５が夫々連なっている。そして、リッドのインナサイドフラップＰ１５がリッドの側壁パネルＰ１４に重ね合わされ、リッドの側壁３２ｂの補強をなす。
【００５３】
更に、リッドの上壁パネルＰ１３の上縁には、リッドの上壁補強フレーム３６ｂを構成する、リッドのインナトップフラップＰ１６が連なっている。リッドのインナトップフラップＰ１６が、折れ線ＢＬ及び罫線ＲＬで折り曲げられ、リッドの上壁パネルＰ１３に重ね合わされ、接着されることで、リッドの上壁３４ｂの補強をなす。
【００５４】
第三実施形態に係るパッケージ１０ｂでは、リッドの上壁３４ｂに第一実施形態に係る紙製品の端部構造１が用いられ、リッドの上壁３４ｂ及びリッドの上壁補強フレーム３６ｂは、下方に膨らむように僅かに湾曲している。すなわち、リッドの上壁３４ｂ及びリッドの上壁補強フレーム３６ｂの内部には、リッドの上壁３４ｂ及びリッドの上壁補強フレーム３６ｂが下方に膨らむように、引張力が作用している。その結果、経年劣化による紙の撓みを抑制することができる。リッドの上壁３４ｂ及びリッドの上壁補強フレーム３６ｂが折り重なり二重構造であり、更に非常に単純な構成であるため、劣化し難くなっている。
【００５５】
また、第三実施形態に係るパッケージ１０ｂでは、パッケージ本体の前壁２１ｂに第一実施形態に係る紙製品の端部構造１が用いられ、パッケージ本体の前壁２１ｂ及びパッケージ本体の前壁補強フレーム２５ｂは、後方に膨らむように僅かに湾曲している。すなわち、パッケージ本体の前壁２１ｂ及びパッケージ本体の前壁補強フレーム２５ｂの内部には、パッケージ本体の前壁２１ｂ及びパッケージ本体の前壁補強フレーム２５ｂが後方に膨らむように、引張力が作用している。その結果、経年劣化による紙の撓みを抑制することができる。パッケージ本体の前壁２１ｂ及びパッケージ本体の前壁補強フレーム２５ｂが折り重なり二重構造であり、更に非常に単純な構成であるため、劣化し難くなっている。
【００５６】
また、リッドの上壁３４ｂ及びリッドの上壁補強フレーム３６ｂが下方に膨らむように湾曲し、パッケージ本体の前壁２１ｂ及びパッケージ本体の前壁補強フレーム２５ｂが後方に膨らむように湾曲することで、リッド３０ｂとパッケージ本体２０ｂの開口との間に隙間が生じにくい。その結果、たばこ商品、例えばシガレットの刻が外部にこぼれることを抑制できる。
【００５７】
＜第四実施形態＞
図１５は、第四実施形態に係るパッケージの内箱を外箱に収容した状態を前方上方から見た斜視図を示す。図１６は、第四実施形態に係るパッケージの内箱を外箱からスライドさせた状態を前方上方から見た斜視図を示す。図１７は、第四実施形態に係るパッケージの内箱を外箱から取り出した状態を前方上方から見た斜視図を示す。
【００５８】
第四実施形態に係るパッケージ１０ｃは、右側方に開口を有する略直方体形状を有する外箱５０と、外箱５０に収容され、内部にたばこ商品としてのシガレットを収容し上部の開口からシガレットを取り出し自在である略直方体形状を有する内箱６０とを含んで構成されている。
【００５９】
第四実施形態に係るパッケージ１０ｃでは、外箱の上壁５１に第一実施形態に係る紙製品の端部構造１が用いられている。紙製品の端部構造１の端部２は、外箱の上壁５１に相当し、折り曲げ部４は、外箱の上壁５１を補強する外箱の上壁補強フレーム５６に相当する。そして、外箱の上壁５１の右側縁、すなわち外箱の上壁補強フレーム５６の折り曲げ部分には、折れ線ＢＬ及び罫線ＲＬが存在し、外箱の上壁補強フレーム５６は、折れ線ＢＬ及び罫線ＲＬで内側に折り曲げられている。その結果、図１５、図１６に示すように、外箱の上壁５１は、下方に膨らむように僅かに湾曲している。
【００６０】
図１７に示すように、第四実施形態に係るパッケージ１０ｃは、内箱の側壁６２（左側）の上縁に連なり、また、内箱の前壁６１の左側上縁、及び内箱の後壁６３の左側上縁に接続された内箱の上壁６５を備えている。また、この内箱の上壁６５には、外側に折り曲げられて内箱の上壁６５の補強をなす内箱の上壁補強フレーム６６が連なっている。そして、内箱の上壁６５に第一実施形態に係る紙製品の端部構造１が用いられている。但し、内箱の上壁６５は、先に説明した実施形態と異なり、第一実施形態に係る紙製品の端部構造１が逆向き、すなわち、折り曲げ部４が外側に折り曲げられるように用いられている。紙製品の端部構造１の端部２は、内箱の上壁６５に相当し、折り曲げ部４は、内箱の上壁６５の外側に位置し、内箱の上壁を補強する内箱の上壁補強フレーム６６に相当する。内箱の上壁６５の右側縁、すなわち内箱の上壁補強フレーム６６の折り曲げ部分には、折れ線ＢＬ及び罫線ＲＬが存在し、内箱の上壁補強フレーム６６は、折れ線ＢＬ及び罫線ＲＬで外側に折り曲げられている。その結果、図１７に示すように、内箱の上壁６５は、上方に膨らむように僅かに湾曲している。
【００６１】
第四実施形態に係るパッケージ１０ｃでは、外箱の上壁５１に第一実施形態に係る紙製品の端部構造１が用いられ、外箱の上壁５１及び外箱の上壁補強フレーム５６は、下方に膨らむように僅かに湾曲している。すなわち、外箱の上壁５１及び外箱の上壁補強フレーム５６の内部には、外箱の上壁５１及び外箱の上壁補強フレーム６６が下方に膨らむように、引張力が作用している。その結果、経年劣化による紙の撓みを抑制することができる。外箱の上壁５１及び外箱の上壁補強フレーム６６が折り重なり二重構造であり、更に非常に単純な構成であるため、劣化し難くなっている。また、外箱の上壁５１及び外箱の上壁補強フレーム５６が下方に膨らむように湾曲することで、外箱５０の開口と内箱６０との間に隙間が生じにくい。その結果、たばこ商品、例えばシガレットの刻が外部にこぼれることを抑制できる。なお、内箱の側壁６２（右側）にも、第一実施形態に係る紙製品の端部構造１を用いるようにしてもよい。内箱の側壁６２（右側）を左側に膨らむように僅かに湾曲させることで、外箱５０の開口と内箱６０との間に隙間がより生じにくくなる。
【００６２】
また、第四実施形態に係るパッケージ１０ｃでは、内箱の上壁６５に第一実施形態に係る紙製品の端部構造１が用いられ、内箱の上壁６５及び内箱の上壁補強フレーム６６は、上方に膨らむように僅かに湾曲している。すなわち、内箱の上壁６５及び内箱の上壁補強フレーム６６の内部には、内箱の上壁６５及び内箱の上壁補強フレーム６６が上方に膨らむように、引張力が作用している。その結果、経年劣化による紙の撓みを抑制することができる。また、内箱の上壁６５及び内箱の上壁補強フレーム６６が折り重なり二重構造であり、更に非常に単純な構成であるため、劣化し難くなっている。また、内箱の上壁６５及び内箱の上壁補強フレーム６６が上方に膨らむように湾曲することで、外箱の上壁５１の内面との抵抗が大きくなる。その結果、内箱６０が外箱５０から脱落するのを抑制できる。
【００６３】
以上、本発明の好適な実施形態を説明したが、本発明に係る紙製品の端部構造や紙製のパッケージは、可能な限り各実施例を組み合わせて実施することができる。また、本実施形態では、本発明に係る紙製品の端部構造の適用例として、たばこ商品（例えば、シガレット）を収容するパッケージを挙げたが、これには限定されない。本発明に係る紙製品の端部構造は、たばこ商品以外の物品を収容するパッケージにも広く適用することができる。
【符号の説明】
【００６４】
１・・・紙製品の端部構造
２・・・紙製品の端部
３・・・糊代
４・・・折り曲げ部
１０ａ、１０ｂ・・・パッケージ
２０ａ、２０ｂ・・・パッケージ本体
３０ａ、３０ｂ・・・リッド
ＢＬ・・・折れ線
ＲＬ・・・罫線
【図１】
2015170395.tif 000003
【図２】
2015170395.tif 000004
【図３Ａ】
2015170395.tif 000005
【図３Ｂ】
2015170395.tif 000006
【図３Ｃ】
2015170395.tif 000007
【図４】
2015170395.tif 000008
【図５】
2015170395.tif 000009
【図６】
2015170395.tif 000010
【図７】
2015170395.tif 000011
【図８】
2015170395.tif 000012
【図９】
2015170395.tif 000013
【図１０】
2015170395.tif 000014
【図１１】
2015170395.tif 000015
【図１２】
2015170395.tif 000016
【図１３】
2015170395.tif 000017
【図１４】
2015170395.tif 000018
【図１５】
2015170395.tif 000019
【図１６】
2015170395.tif 000020
【図１７】
2015170395.tif 000021
【国際調査報告】
2015170395.tif 000022
2015170395.tif 000023
2015170395.tif 000024
2015170395.tif 000025